【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
血管系において医療処置を行うための装置であって、
膨張可能な灌流バルーンであって、該バルーンの膨張状態において前記血管系を流れる流体を移送するための通路を有する膨張可能な灌流バルーンと、
前記膨張可能な灌流バルーンの少なくとも一部分の上に位置決めされるワイヤメッシュと
を備える装置。
【請求項２】
請求項１に記載の装置であって、
前記バルーンは、該バルーンの単一の断面において、第１のセルと第２のセルとを備える
装置。
【請求項３】
請求項２に記載の装置であって、
前記第１のセルと前記第２のセルとの間に空間が設けられており、
前記ワイヤメッシュの開口部によって、流体が外部から前記バルーンへ至り、前記空間内に入って前記通路まで流れることができる
装置。
【請求項４】
請求項２に記載の装置であって、
前記通路は、前記第１のセルおよび前記第２のセルによって取り囲まれており、
前記ワイヤメッシュは、前記バルーンの前記第１のセルおよび前記第２のセルの上に位置する
装置。
【請求項５】
請求項１に記載の装置であって、
前記バルーンは、テーパ状端部と、中央部と、を備え、
前記ワイヤメッシュは、前記バルーンの少なくとも前記中央部に沿って延在する
装置。
【請求項６】
請求項１に記載の装置であって、
前記ワイヤメッシュは、前記バルーンが膨張されたときに前記通路と流体連通する１つ以上の開口部を有する網状構造を備える
装置。
【請求項７】
請求項１に記載の装置であって、
前記バルーンは、複数のセルを備え、
前記複数のセルの各々は、膨張流体を受け入れるための近位側ネック部を備え、
前記ワイヤメッシュは、前記複数のセルの前記近位側ネック部を少なくとも部分的に覆う
装置。
【請求項８】
血管系において医療処置を行うための装置であって、
膨張可能な灌流バルーンであって、該バルーンの単一の断面において第１のバルーンと第２のバルーンとを有する膨張可能な灌流バルーンと、
前記膨張可能な灌流バルーンの前記第１および第２のバルーンの少なくとも一部分に設けられるワイヤメッシュと
を備える装置。
【請求項９】
請求項８に記載の装置であって、
前記第１および第２のバルーンは、単一のバルーンの第１および第２のセルを備える
装置。
【請求項１０】
請求項８に記載の装置であって、
前記バルーンの各々は、テーパ状端部と、中央部と、を備え、
前記ワイヤメッシュは、前記バルーンの少なくとも前記中央部に沿って延在する
装置。
【請求項１１】
請求項８に記載の装置であって、
前記ワイヤメッシュは、前記バルーンが膨張されたときに前記通路と流体連通する複数の開口部を備える
装置。
【請求項１２】
請求項８に記載の装置であって、
前記ワイヤメッシュは、前記第１のバルーンと前記第２のバルーンとの間に位置決めされる少なくとも１つの開口部を備える
装置。
【請求項１３】
請求項８に記載の装置であって、
前記バルーンの各々は、該バルーンを膨張させるための流体を受け入れるための近位側ネック部を備え、
前記ワイヤメッシュは、前記近位側ネック部を少なくとも部分的に覆う
装置。
【請求項１４】
血管系において医療処置を行うための装置であって、
膨張可能な灌流バルーンであって、該バルーンの膨張状態において前記血管系を流れる流体を移送するための通路を有する膨張可能な灌流バルーンと、
前記膨張可能な灌流バルーンの少なくとも一部分の上に位置決めされるワイヤソックと
を備える装置。
【請求項１５】
血管系において医療処置を行うための装置であって、
膨張可能な灌流バルーンであって、該バルーンの膨張状態において前記血管系を流れる流体を移送するための通路を有する膨張可能な灌流バルーンと、
前記膨張可能な灌流バルーンの少なくとも一部分に設けられる、形状記憶材料を含有するスリーブと
を備える装置。
【手続補正２】
【補正対象書類名】明細書
【補正対象項目名】００３７
【補正方法】変更
【補正の内容】
【００３７】
[00041]上述の説明は、本発明の概念の例示を提供することを意図しており、本発明を特定の態様または形態に限定することを意図するものではない。単数形として本明細書に記載された任意の要素は、複数になってもよく（すなわち、「１つ」として記載された任意のものは１つよりも多くなり得る）、複数の要素は、個別に使用されてもよい。要素、デバイス、方法またはそれらの組み合わせの単一のバリエーションの開示された特徴は、他のバリエーション、例えば、寸法、破裂圧力、形状、材料、または、それらの組み合わせに使用または適用されてもよい。族要素の任意の種要素は、当該族の任意の他の種要素の特徴または要素を有していてもよい。「略」または「実質的に」といった用語は、その値が状況に応じて（例えば、所与の条件の１０％まで）変わり得ることを意味している。本発明の実施するための上述の構成、要素または完全な組立体および方法ならびにそれらの要素、ならびに、本発明の態様のバリエーションは、任意の自明な修正形態とともに、任意の組み合わせで互いに組み合わせたり修正したりすることができる。また、本発明は、以下の態様としても実現可能である。
［態様１］
血管系において医療処置を行うための装置であって、
膨張可能な灌流バルーンであって、該バルーンの膨張状態において前記血管系を流れる流体を移送するための通路を有する膨張可能な灌流バルーンと、
前記膨張可能な灌流バルーンの少なくとも一部分の上に位置決めされるワイヤメッシュと
を備える装置。
［態様２］
態様１に記載の装置であって、
前記バルーンは、該バルーンの単一の断面において、第１のセルと第２のセルとを備える
装置。
［態様３］
態様２に記載の装置であって、
前記第１のセルと前記第２のセルとの間に空間が設けられており、
前記ワイヤメッシュの開口部によって、流体が外部から前記バルーンへ至り、前記空間内に入って前記通路まで流れることができる
装置。
［態様４］
態様２に記載の装置であって、
前記通路は、前記第１のセルおよび前記第２のセルによって取り囲まれており、
前記ワイヤメッシュは、前記バルーンの前記第１のセルおよび前記第２のセルの上に位置する
装置。
［態様５］
態様２に記載の装置であって、
前記第１のセルおよび前記第２のセルの各々は膨張内腔を備える
装置。
［態様６］
態様１ないし態様５のいずれか一項に記載の装置であって、
前記ワイヤメッシュは金属を含有している
装置。
［態様７］
態様１ないし態様６のいずれか一項に記載の装置であって、
前記ワイヤメッシュは形状記憶材料を含有している
装置。
［態様８］
態様１ないし態様７のいずれか一項に記載の装置であって、
前記バルーンは、テーパ状端部領域と、中央領域と、を備え、
前記ワイヤメッシュは、前記バルーンの少なくとも前記中央領域に沿って延在する
装置。
［態様９］
態様１ないし態様８のいずれか一項に記載の装置であって、
前記ワイヤメッシュは、前記バルーンが膨張されたときに前記通路と流体連通する１つ以上の開口部を有する網状構造を備える
装置。
［態様１０］
態様１ないし態様９のいずれか一項に記載の装置であって、
前記バルーンは、複数のセルを備え、
前記複数のセルの各々は、膨張流体を受け入れるための近位側ネック部を備え、
前記ワイヤメッシュは、前記複数のセルの前記近位側ネック部を少なくとも部分的に覆う
装置。
［態様１１］
態様１ないし態様１０のいずれか一項に記載の装置であって、
前記ワイヤメッシュは螺旋状のワイヤを備える
装置。
［態様１２］
態様１に記載の装置であって、
前記ワイヤメッシュは金属を含有している
装置。
［態様１３］
態様１に記載の装置であって、
前記ワイヤメッシュは形状記憶材料を含有している
装置。
［態様１４］
態様１に記載の装置であって、
前記バルーンは、テーパ状端部と、中央部と、を備え、
前記ワイヤメッシュは、前記バルーンの少なくとも前記中央部に沿って延在する
装置。
［態様１５］
態様１に記載の装置であって、
前記ワイヤメッシュは、前記バルーンが膨張されたときに前記通路と流体連通する１つ以上の開口部を有する網状構造を備える
装置。
［態様１６］
態様１に記載の装置であって、
前記バルーンは、複数のセルを備え、
前記複数のセルの各々は、膨張流体を受け入れるための近位側ネック部を備え、
前記ワイヤメッシュは、前記複数のセルの前記近位側ネック部を少なくとも部分的に覆う
装置。
［態様１７］
態様１に記載の装置であって、
前記ワイヤメッシュは螺旋状のワイヤを備える
装置。
［態様１８］
血管系において医療処置を行うための装置であって、
膨張可能な灌流バルーンであって、該バルーンの単一の断面において第１のバルーンと第２のバルーンとを有する膨張可能な灌流バルーンと、
前記膨張可能な灌流バルーンの前記第１および第２のバルーンの少なくとも一部分に設けられるワイヤメッシュと
を備える装置。
［態様１９］
態様１８に記載の装置であって、
前記第１および第２のバルーンは、単一のバルーンの第１および第２のセルを備える
装置。
［態様２０］
態様１８に記載の装置であって、
前記ワイヤメッシュは金属を含有している
装置。
［態様２１］
態様１８に記載の装置であって、
前記ワイヤメッシュは形状記憶材料を含有している
装置。
［態様２２］
態様１８に記載の装置であって、
前記バルーンの各々は、テーパ状端部と、中央部と、を備え、
前記ワイヤメッシュは、前記バルーンの少なくとも前記中央部に沿って延在する
装置。
［態様２３］
態様１８に記載の装置であって、
前記ワイヤメッシュは、前記バルーンが膨張されたときに前記通路と流体連通する複数の開口部を備える
装置。
［態様２４］
態様１８に記載の装置であって、
前記ワイヤメッシュは、前記第１のバルーンと前記第２のバルーンとの間に位置決めされる少なくとも１つの開口部を備える
装置。
［態様２５］
態様１８に記載の装置であって、
前記バルーンの各々は、該バルーンを膨張させるための流体を受け入れるための近位側ネック部を備え、
前記ワイヤメッシュは、前記近位側ネック部を少なくとも部分的に覆う
装置。
［態様２６］
血管系において医療処置を行うための装置であって、
膨張可能な灌流バルーンであって、該バルーンの膨張状態において前記血管系を流れる流体を移送するための通路を有する膨張可能な灌流バルーンと、
前記膨張可能な灌流バルーンの少なくとも一部分の上に位置決めされるワイヤソックと
を備える装置。
［態様２７］
態様２６に記載の装置であって、
前記ワイヤソックは金属製メッシュを備える
装置。
［態様２８］
態様２６に記載の装置であって、
前記バルーンは、テーパ状端部と、中央部と、を備え、
前記ワイヤソックは、前記膨張可能な灌流バルーンの少なくとも前記中央部に沿って延在する
装置。
［態様２９］
態様２６に記載の装置であって、
前記ワイヤソックは、前記デバイスが膨張されたときに前記通路と流体連通する複数の開口部を備える
装置。
［態様３０］
血管系において医療処置を行うための装置であって、
膨張可能な灌流バルーンであって、該バルーンの膨張状態において前記血管系を流れる流体を移送するための通路を有する膨張可能な灌流バルーンと、
前記膨張可能な灌流バルーンの少なくとも一部分に設けられる、形状記憶材料を含有するスリーブと
を備える装置。
［態様３１］
態様３０の記載の装置であって、
前記スリーブはワイヤメッシュを備える
装置。
［態様３２］
態様３０の記載の装置であって、
前記形状記憶材料はニチノールを含有する
装置。
［態様３３］
態様３０の記載の装置であって、
前記膨張可能な灌流バルーンは、単一の断面において複数のセルを備える
装置。
［態様３４］
血管系において医療処置を行うための装置であって、
膨張可能な灌流バルーンであって、該灌流バルーンが膨張されるときに前記血管系を流れる流体を移送するための通路を有する膨張可能な灌流バルーンと、
前記膨張可能な灌流バルーンの少なくとも一部分の上に位置決めされる圧縮メッシュと
を備える装置。
［態様３５］
血管系において医療処置を行うための装置であって、
膨張可能な灌流バルーンであって、該バルーンが膨張されるときに前記血管系を流れる流体を移送するための通路を有する膨張可能な灌流バルーンと、
前記膨張可能な灌流バルーンの少なくとも一部分の上に位置決めされる金属製メッシュと
を備える装置。
［態様３６］
灌流バルーンを形成する方法であって、
前記灌流バルーンの上にワイヤメッシュを設ける工程を備える
方法。
［態様３７］
態様３６に記載の方法であって、
前記設ける工程は、前記灌流バルーンの外表面の上にワイヤを巻く工程を備える
方法。
［態様３８］
態様３６に記載の方法であって、
前記設ける工程は、前記ワイヤメッシュから形成された管内に前記灌流バルーンを挿入する工程を備える
方法。
［態様３９］
態様３６ないし態様３８のいずれか一項に記載の方法であって、
さらに、前記ワイヤメッシュを前記灌流バルーンに取り付ける工程を備える
方法。
［態様４０］
態様３６ないし態様３９のいずれか一項に記載の方法であって、
さらに、前記バルーンの上の前記ワイヤメッシュを圧縮する工程を備える
方法。